(57)【特許請求の範囲】
【請求項１】
ダイレクトブロー成形もしくはインジェクション成形にて成形された容器であって、
前記容器は、その外表面に凹凸を有し、少なくとも一箇所において該外表面を露出させる開口を形成した抜きラベルを備え、
該抜きラベルは、容器の凹凸の境界まであるいは凹凸にまたがる位置に配置可能で、かつ、ラベルの前面の加飾域を第1加飾部分とし、前記開口部分から露出する容器外表面を第2加飾部分とするインモールドラベルである、ことを特徴とする抜きラベルを備えた容器。
【発明の詳細な説明】
【０００１】
【発明の属する技術分野】
本発明は、抜きラベルを備えた容器に関し、容器等の成形品に対して多種多用な加飾を施して商品の識別機能のより一層の増強を図ろうとするものである。
【０００２】
【従来の技術】
化粧料やシャンプー、リンス等を充填するのに用いられる容器は、そのほとんどがダイレクトブローあるいはインジェクション成形法によって成形された合成樹脂からなっているものがほとんどである。
【０００３】
このような合成樹脂製の容器は、容器の直立姿勢でその上部に内容物を排出するための口部を備え、外観形状についてはボトル型をしているのが一般的であり、容器の外観形状のみでもって特定の商品を識別するのは難しい状況にある。
【０００４】
本品と他の商品を区別するための識別手段としては、容器の外表面に直接、文字や図形、色彩等を印刷したり、ラベルを取り付ける等の手立てが施されている。ところで、ラベルとして容器の成形と同時にその外表面に貼着するインモールドタイプのラベルを適用する場合、成形中にラベルがずれて皺が発生する不具合がある。また、容器を成形したのちにその外周を取り巻くように装着するシュリンクタイプのラベルも数多く使用されているが、このタイプのラベルはラベルを装着するための工程が別途必要であることから生産コストを軽減する点では不利であり、さらに、この場合、装着形式はどれも同じであるから、ラベルの加飾の違いのみでもって商品の識別化を図らざるを得ない。
【０００５】
他の商品と一線を画すべく、容器の外観形状に起伏を設けてその起伏を容器の模様、あるいは標識とすることもできるが、この場合には、容器の外表面への印刷可能領域が制限されるし、また、ラベルを貼着するに際してもそれが障害となる場合もある。
【０００６】
【発明が解決しようとする課題】
本発明の課題は、上記のような従来の問題を解消できる新規な抜きラベルを備えた容器を提案するところにある。
【０００７】
【課題を解決するための手段】
本発明は、  ダイレクトブロー成形もしくはインジェクション成形にて成形された容器であって、
前記容器は、その外表面に凹凸を有し、少なくとも一箇所において該外表面を露出させる開口を形成した抜きラベルを備え、
該抜きラベルは、容器の凹凸の境界まであるいは凹凸にまたがる位置に配置可能で、かつ、ラベルの前面の加飾域を第1加飾部分とし、前記開口部分から露出する容器外表面を第2加飾部分とするインモールドラベルである、ことを特徴とする抜きラベルを備えた容器である。
【００１０】
容器に貼着する抜きラベルは、予め金型内にセットされるもので、容器の成形と同時にその外面に貼着される。
【００１２】
【発明の実施の形態】
ラベルにその表裏を貫通し、容器の外表面を露出させるような抜きタイプの開口を設けることにより、ラベルによる加飾と開口部分における容器自体への加飾が可能になる。
【００１３】
容器の成形に際してラベルの開口部分で容器に凹凸を付与することによりそれ自体を模様とすることができる。
【００１４】
ラベルの開口とその開口部分から露出する容器の外表面との境界部分で段差を設けることにより、容器の成形に際してラベルの位置決めを確実に行うことができる。
【００１５】
【実施例】
以下、図面を参照して本発明をより具体的に説明する。
図１は本発明に従う容器の側面を示したものである。
【００１６】
図１において１はラベルである。ラベル１はその前面に加飾領域１ａを有し、その背面に貼着層を有するとともに、その表裏を貫通する開口１ｂを備える。
【００１７】
また、２はブロー成形あるいはインジェクション成形にて構成することができる合成樹脂からなる容器である。容器２の口部には、ねじ込みによってその口部を密閉するキャップ２ａが備えられており、ラベル１の開口１ｂからその外表面が突出するように成形して、そこを加飾面とすることができるようになっている。
【００１８】
ラベル１は、それに予め印刷などにより文字や図形あるいは色彩、記号もしくはそれらの結合により加飾を施したのち、図２に示すようにカッターの如き裁断手段を用いて開口１ｂを形成して抜きラベルとする。
【００１９】
そして、これを、図３に示すように金型Ｋ内にセットして容器の成形と同時にその外表面に貼着する。
【００２０】
抜きラベルは、それを金型内に配置した際に、その開口１ｂが金型内における位置決め機能を発揮するため、成形時にラベルがずれて皺になるようなことはない。
【００２１】
上掲図１に示した容器２はラベル１の加飾領域を第１次加飾部分とする場合、開口１ｂから露出する部分を第２次加飾部分とすることができ、第２次加飾部分にシルク印刷、ホットスタンプあるいは転写の如き手段にて加飾することにより、容器の識別機能をより一層増強させることができる。さらには、ラベルを凸部境界部まであるいは凸部にまたがるように位置させることができ、加飾を印刷によって行う場合と比較して容器の起伏に起因する加飾領域の制限がなく、いっそう加飾効果が期待できる。
【００２２】
図４は本発明に従うラベルを備えた容器の他の構成例を示したものである。
この容器２はラベル１の開口１ｂにおける露出部分を凹として、ここを第２次加飾部分とするものであって、このラベル１は図５に示すような抜きラベルを図６に示す如く、金型内Ｋに配置することによって容器２の胴部に貼着することができる。
【００２３】
上記のラベル１に関しても、その開口１ｂが金型Ｋ内で位置決め機能を発揮するので、容器の成形に際して皺の発生原因となる位置ずれを起こすようなことはない。
【００２４】
本発明においてラベル１の開口１ｂは四角状を例として示したが、これは円形状であっても、また、楕円状、三角等であってもよく、また、開口とする代わりに切り欠状としてもよく、この点についてはとくに限定はされるものではない。
【００２５】
【発明の効果】
本発明によれば、皺の発生原因となる位置ずれの起こしにくいラベルを提供できる。
【００２６】
また、容器の外観形状をひと目を引き易いように比較的自由に変更できるうえ、ラベルのみならず、容器の外観に直接加飾を施すことができるので、他の容器と区別し易い識別機能に優れた容器を提供できる。さらには、容器の起伏によって加飾領域が制限されることがなく、より一層の加飾効果が期待できる。
【図面の簡単な説明】
【図１】  本発明の好適例の構成説明図である。
【図２】  本発明に従うラベルの外観を示した図である。
【図３】  金型内にセットしたラベルと成形に係わる容器との位置関係を示した図である。
【図４】  本発明の他の好適例を示した図である。
【図５】  本発明に従うラベルの外観を示した図である。
【図６】  金型内にセットしたラベルと成形に係わる容器との位置関係を示した図である。
【符号の説明】
１  ラベル
１ａ  加飾領域
１ｂ  開口
２  容器
Ｋ  金型
【図１】
0004145480.tif 000002
【図２】
0004145480.tif 000003
【図３】
0004145480.tif 000004
【図４】
0004145480.tif 000005
【図５】
0004145480.tif 000006
【図６】
0004145480.tif 000007